(57)【要約】      （修正有）【課題】競技型自転車専用靴の靴底クリートブロックを提供する。【解決手段】クリートブロック体１と、滑り止め緩衝パッド２と、間隔ブロック３とを備え、クリートブロック体は、略三角形を呈し、「品」字型に配列された３つの固定孔１１、１２、１３と、３つの固定孔の間に位置する中央貫孔１４とを有し、中央貫孔の頂面向きの一端に陥凹槽１５を具備すると共に、その前後方向に前槽区域１５ａと、後槽区域１５ｂとが分設され、中央貫孔が前槽区域内に位置し、滑り止め緩衝パッドは、中央貫孔に対応する嵌合体であり、選択可能に異なる方向で中央貫孔内に嵌合されることによって、２種の滑り止め緩衝厚さを生じ、間隔ブロックは、中央貫孔の頂面の陥凹槽に対応する成形体であり、選択可能に異なる方向で滑り止め緩衝パッドに当接される。これにより、サイクリストの選択に供することができると共に、摩耗を経た後でも持続的に使用できる、強度の変更が可能な滑り止め緩衝パッドを提供できる。【選択図】図２
0003220118.tif 000002
【実用新案登録請求の範囲】
【請求項１】
クリートブロック体と、滑り止め緩衝パッドと、間隔ブロックとを備える競技型自転車専用靴の靴底クリートブロックであって、
略三角形を呈する前記クリートブロック体は、３つの固定孔と、前記３つの固定孔の間に位置する中央貫孔とを有し、前記中央貫孔の頂面向きの一端に陥凹槽を具備すると共に、その前後方向に前槽区域と、後槽区域とが分設され、前記中央貫孔が前記前槽区域内に位置し、
前記滑り止め緩衝パッドは、前記中央貫孔に対応する嵌合体であり、選択可能に異なる方向で前記中央貫孔内に嵌合されることによって、２種の滑り止め緩衝厚さを生じ、
前記間隔ブロックは、前記中央貫孔の頂面の前記陥凹槽に対応する成形体であり、選択可能に異なる方向で前記滑り止め緩衝パッドに当接されることを特徴とする、競技型自転車専用靴の靴底クリートブロック。
【請求項２】
前記中央貫孔は、前記クリートブロック体を貫通する方形孔状になっており、その底面向きの一端に比較的小さい径の段階凸縁が設けられ、前記段階凸縁の前後方向に相対する辺にそれぞれ同じ深さの第１凹溝が形成される一方、その左右方向に相対する辺にそれぞれ別の同じ深さの第２凹溝が形成されることを特徴とする、請求項１に記載の競技型自転車専用靴の靴底クリートブロック。
【請求項３】
前記第１凹溝は、前記第２凹溝よりも浅いことを特徴とする、請求項２に記載の競技型自転車専用靴の靴底クリートブロック。
【請求項４】
前記陥凹槽は、矩形状になっており、前記陥凹槽の前記後槽区域の底部は、前記前槽区域から後方に向かうにつれて上向きに傾斜する傾斜面であり、前記中央貫孔の前縁が前記前槽区域の前境界に対して垂直に整然と並べられ、その両側縁が前記前槽区域の側境界の段階縁よりも略小さく、その後縁が前記前槽区域と前記後槽区域との接合箇所に略位置することを特徴とする、請求項１に記載の競技型自転車専用靴の靴底クリートブロック。
【請求項５】
前記陥凹槽に合致する前記間隔ブロックの底面は、外テーパ状を呈する第１斜面と、第２斜面とを含むことを特徴とする、請求項４に記載の競技型自転車専用靴の靴底クリートブロック。
【請求項６】
前記第２斜面上に内凹受容槽が縦方向に形成され、その両側の凸条は、前記中央貫孔と前記前槽区域の側境界とに形成された前記段階縁に対応して配置されることを特徴とする、請求項５に記載の競技型自転車専用靴の靴底クリートブロック。
【請求項７】
前記滑り止め緩衝パッドは、方形嵌合体であり、その頂面は、前記中央貫孔の形状と同形状の止め縁からなり、前記滑り止め緩衝パッドの底面は、前記中央貫孔内の前記段階凸縁の比較的小さい径に対応して底端面を閉塞端壁とする嵌合口からなり、また、前記止め縁と前記嵌合口との四辺端には、それぞれ前記止め縁から下方に前記第１凹溝と前記第２凹溝とに対応する第１凸止めと第２凸止めとが延出しており、前記第１凹溝に対応する前記第１凸止めの上下長さは、前記第２凹溝に対応する前記第２凸止めの上下長さに比べて短いことを特徴とする、請求項２に記載の競技型自転車専用靴の靴底クリートブロック。
【請求項８】
前記第１凸止めと前記第２凸止めとがそれぞれ前記第１凹溝と前記第２凹溝とに当接される際に、前記滑り止め緩衝パッドは、前記クリートブロック体の底面から突出して比較的大きい滑り止め緩衝厚さに形成され、前記止め縁から下方に延出している前記第１凸止めと前記第２凸止めとがそれぞれ前記第２凹溝と前記第１凹溝との位置に当接される際に、前記滑り止め緩衝パッドは、前記中央貫孔内に押縮されて前記クリートブロック体の底面から突出して比較的小さい滑り止め緩衝厚さに形成されることを特徴とする、請求項７に記載の競技型自転車専用靴の靴底クリートブロック。
【請求項９】
前記クリートブロック体の頂面に若干の凸点が設けられることを特徴とする、請求項１に記載の競技型自転車専用靴の靴底クリートブロック。
【考案の詳細な説明】
【技術分野】
【０００１】
本考案は、競技型自転車専用靴の靴底クリートブロックに係り、特に、強度の変更が可能な滑り止め緩衝パッドを備える靴底クリートブロックの構造に関するものである。
【背景技術】
【０００２】
自転車用のクリップレスペダル（ｃｌｉｐｌｅｓｓ  ｐｅｄａｌ）を使うには、自転車靴をペダルに係止連結するように、自転車靴の靴底に固定するクリートブロックが必要となり、異なるサイクリング方式に対応するために、例えば、競技型自転車用及びマウンテンバイク用やオールテラインバイク用などの多種のタップが挙げられる。
【０００３】
従来の競技型自転車用のクリートブロックは、略三角形を呈し、「品」字型に配列された３つの固定孔を有し、そして前記固定孔をそれぞれ３本のネジで貫くことで、クリートブロックを自転車靴の靴底に締着し、クリートブロックの前後端を利用してペダルの前後爪部に係止するものである。前記クリートブロックとペダル面は、いずれも硬質材料で構成されるので、係止時に滑りずれ易い状態になる。また、クリートブロックとペダル面との間は、公差によって生じる隙間が原因となって揺動し易くなるため、固定孔の間に靴底クリートブロックとペダルとの間の隙間余裕度を除去して、靴底クリートブロックとペダルとの間の滑り止め機能を提供し得る滑り止め緩衝パッドを凸設する業者がいる。但し、前記滑り止め緩衝パッドは、いずれも単一の厚さによる突出なので、単一の突出寸法のみでペダルの間と接触した際の緩緊余裕度を生じるのは、実に甚だ遺憾なことある。  
【考案の概要】
【考案が解決しようとする課題】
【０００４】
本考案の主要な目的は、既有の３つの締付点の間に強度の変更が可能な滑り止め緩衝パッドを増設して靴底クリートブロックとペダルとの間の隙間余裕度を除去でき、靴底クリートブロックとペダルとの間の滑り止め緩衝強度を提供し得る、競技型自転車専用靴の靴底クリートブロックを提供することである。
【０００５】
本考案の別の目的は、クリートブロックの滑り止め緩衝パッドの緩緊度を調節可能な構造設計を持ち、滑り止め緩衝パッドを比較的小さい滑り止め緩衝厚さの形態として摩耗が一定程度になるまで使用して滑り止め緩衝効果に影響が出る場合には、滑り止め緩衝パッドを転向する厚さの配置を再選択することもできることから、前記滑り止め緩衝パッドを継続的に使用できるので、前記滑り止め緩衝パッドの使用寿命延長を図ることができる、競技型自転車専用靴の靴底クリートブロックを提供することである。
【課題を解決するための手段】
【０００６】
上記の目的を達成するために、本考案に係る競技型自転車専用靴の靴底クリートブロックは、クリートブロック体と、滑り止め緩衝パッドと、間隔ブロックとを備え、前記クリートブロック体は、略三角形を呈し、「品」字型に配列された３つの固定孔と、前記３つの固定孔の間に位置する中央貫孔とを有し、その内、前記中央貫孔の頂面向きの一端に陥凹槽を具備すると共に、その前後方向に前槽区域と、後槽区域とが分設され、中央貫孔が前記前槽区域内に位置し、前記滑り止め緩衝パッドは、中央貫孔に対応する嵌合体であり、選択可能に異なる方向で前記中央貫孔内に嵌合されることによって、２種の滑り止め緩衝厚さを生じ、前記間隔ブロックは、中央貫孔の頂面の陥凹槽に対応する成形体であり、選択可能に異なる方向で前記滑り止め緩衝パッドに当接される。
【考案の効果】
【０００７】
これにより、サイクリストの選択に供することができると共に、摩耗を経た後でも持続的に使用できる、強度の変更が可能な滑り止め緩衝パッドを提供する目的を達成することができる。
【図面の簡単な説明】
【０００８】
【図１】本考案の組合せ斜視図である。
【図２】本考案の分解斜視図である。
【図３】本考案のクリートブロック体の上面図である。
【図４】図３の４−４線断面図である。
【図５】図３の５−５線断面図である。
【図６】本考案の滑り止め緩衝パッドの斜視図である。
【図７】図６の７−７線断面図である。
【図８】図６の８−８線断面図である。
【図９】本考案と靴底との組合せ断面を示す図である。
【図１０】図９の一部拡大図である。
【図１１】本考案の別の組み立て使用形態の分解斜視図である。
【図１２】本考案の別の組み立て使用形態と靴底との組合せ断面図である。
【図１３】図１２の一部拡大図である。
【図１４】図１３の１４−１４線断面図である。
【考案を実施するための形態】
【０００９】
本考案は、クリートブロック（ｃｌｅａｔ）に係り、自転車の乗り者が着用する自転車靴の靴底に固定してから、競技型ペダルに互いに係止結合するために用いられるものである。
【００１０】
以下の説明において、「前」とは、乗り者の自転車靴の靴先に向かう方向を意味し、「後」とは、乗り者の自転車靴の靴踵に向かう方向を意味し、「頂面」とは、乗り者の自転車靴の靴底に面する一面を意味し、「底面」とは、競技型ペダルに面する一面を意味する。以上の方向及び位置の定義も、実用新案登録請求の範囲に適用される。
【００１１】
図１及び図２に示すように、本考案のクリートブロックは、クリートブロック体１と、滑り止め緩衝パッド２と、間隔ブロック３とを備え、前記クリートブロック体１は、略三角形を呈し、「品」字型に配列された３つの固定孔１１，１２，１３と、前記３つの固定孔１１，１２，１３の間に位置する中央貫孔１４とを有し、滑り止め緩衝パッド２及び間隔ブロック３は、中央貫孔１４内に装置され、かつ滑り止め緩衝パッド２は、クリートブロック体１の底面１０から略突出する。
【００１２】
図３〜図５に示すように、前記中央貫孔１４は、クリートブロック体１を貫通する方形孔状になっており、その底面向きの一端に比較的小さい径の段階凸縁１４１が設けられ、前記段階凸縁１４１の前後方向に相対する辺にそれぞれ同じ深さの第１凹溝１４２が形成される一方、その左右方向に相対する辺にそれぞれ別の同じ深さの第２凹溝１４３が形成される。本実施例において、前記第１凹溝１４２は、第２凹溝１４３よりも浅く、そして前記中央貫孔１４の頂面向きの一端を矩形状の陥凹槽１５とすると共に、その前後方向に前槽区域１５ａと、後槽区域１５ｂとが分設され、前記後槽区域１５ｂの底部は、前槽区域１５ａから後方に向かうにつれて上向きに傾斜する傾斜面であり、中央貫孔１４が前記前槽区域１５ａ内に位置し、かつ前記中央貫孔１４の前縁が前記前槽区域１５ａの前境界に対して垂直に整然と並べられ、その両側縁が前記前槽区域１５ａの側境界の段階縁１６よりも略小さく、その後縁が後槽区域１５ｂ内に略位置し、かつ前記中央貫孔１４とその段階凸縁１４１との四辺角は、いずれも円弧角である。
【００１３】
また、図６〜図８に示すように、前記滑り止め緩衝パッド２は、中央貫孔１４に対応する方形嵌合体であり、その頂面は、中央貫孔１４の形状と同形状の止め縁２１からなり、その底面は、中央貫孔１４内の段階凸縁１４１の比較的小さい径に対応して底端面を閉塞端壁とする嵌合口２２からなり、また、前記止め縁２１と嵌合口２２との四辺端には、それぞれ止め縁２１から下方に第１凹溝１４２と第２凹溝１４３とに対応する第１凸止め２３と第２凸止め２４とが延出しており、その内、第１凹溝１４２に対応する第１凸止め２３の上下長さは、第２凹溝１４３に対応する第２凸止め２４の上下長さに比べて短く、前記滑り止め緩衝パッド２が中央貫孔１４に嵌入される際に、前記第１凸止め２３及び第２凸止め２４と、第１凹溝１４２及び第２凹溝１４３との完全密着の当接により、前記滑り止め緩衝パッド２を中央貫孔１４のクリートブロック体１の底面１０から突出させる場合には、比較的大きい滑り止め緩衝厚さＡ１が形成されると同時に（図９、図１０を参照）、前記滑り止め緩衝パッド２の止め縁２１の頂面が中央貫孔１４の上縁箇所に対してきっちりと整然と並べられる。
【００１４】
再び、図１に示すように、前記間隔ブロック３は、中央貫孔１４の頂面の矩形状の陥凹槽１５に対応する成形体であり、陥凹槽１５に合致するその底面は、外テーパ状を呈する第１斜面３１と、第２斜面３２とを含み、その頂面は、クリートブロック体１の頂面形状につながって形成された完全な曲線で靴底面４にフィットする。本実施例において、前記クリートブロック体１の頂面に、靴底へ締め付ける時の噛合度を向上させるための若干の凸点１７が設けられるので、前記間隔ブロック３が前記陥凹槽１５内に置かれる時、前記頂面は、クリートブロック体１の頂面から略突出して靴底面４に当て付けるために供されるほか、前記第２斜面３２上に、滑り止め緩衝パッド２の止め縁２１がきっちりと収容可能な内凹受容槽３２ａが縦方向に形成され、その両側の凸条３２ｂは、中央貫孔１４と前槽区域１５ａの側境界とに形成された段階縁１６に対応して配置される。
【００１５】
図１１〜図１４に示すように、本考案の別の組み立て使用形態において、前記滑り止め緩衝パッド２の方向を９０度回転調整する時に、その前記止め縁２１から下方に延出している第１凸止め２３と第２凸止め２４との位置は、中央貫孔１４内の第１凹溝１４２と第２凹溝１４３と位置転換する方向にして形成されることが観察され、即ち、前記第１凸止め２３を第２凹溝１４３の位置に配置させると、前記第２凸止め２４は、第１凹溝１４２の位置に配置され、前記第２凸止め２４の上下長さが比較的長いと反対に、配置先の第１凹溝１４２が比較的浅いので、前記滑り止め緩衝パッド２が中央貫孔１４内に嵌設される時に全体を内向きに退避させて、前記滑り止め緩衝パッド２を中央貫孔１４のクリートブロック体１の底面１０から突出させる場合には、別の比較的小さい滑り止め緩衝厚さＡ２が形成されると同時に、前記滑り止め緩衝パッド２の止め縁２１の頂面も、中央貫孔１４の上縁箇所から略突出し、この時、前記間隔ブロック３の前後端位置をスワップすることにより、その第２斜面３２上の内凹受容槽３２ａは、中央貫孔１４の上縁箇所から略突出する前記滑り止め緩衝パッド２の止め縁２１の収容のために丁度供されると同時に、その両側の凸条３２ｂは、中央貫孔１４と前槽区域１５ａの側境界とに形成された段階縁１６上に丁度跨設されることで（図１４参照）、前記間隔ブロック３の頂面のクリートブロック体１から突出する頂面形状は、前述の実施例と完全に同形状であって靴底面４にフィット固定する。
【００１６】
特に、滑り止め緩衝パッド２を比較的小さい滑り止め緩衝厚さＡ２の形態として摩耗が一定程度になるまで使用して滑り止め緩衝効果に影響が出る場合には、滑り止め緩衝パッド２を転向する厚さの配置を再選択することもできることから、前記滑り止め緩衝パッド２を継続的に使用できるので、前記滑り止め緩衝パッド２の使用寿命延長を図ることができる。
【符号の説明】
【００１７】
１：クリートブロック体
１０：底面
１１、１２、１３：固定孔
１４：中央貫孔
１４１：段階凸縁
１４２：第１凹溝
１４３：第２凹溝
１５：陥凹槽
１５ａ：前槽区域
１５ｂ：後槽区域
１６：段階縁
１７：凸点
２：滑り止め緩衝パッド
２１：止め縁
２２：嵌合口
２３：第１凸止め
２４：第２凸止め
３：間隔ブロック
３１：第１斜面
３２：第２斜面
３２ａ：内凹受容槽
３２ｂ：凸条
４：靴底面
Ａ１：比較的大きい滑り止め緩衝厚さ
Ａ２：比較的小さい滑り止め緩衝厚さ
【図１】
0003220118.tif 000003
【図２】
0003220118.tif 000004
【図３】
0003220118.tif 000005
【図４】
0003220118.tif 000006
【図５】
0003220118.tif 000007
【図６】
0003220118.tif 000008
【図７】
0003220118.tif 000009
【図８】
0003220118.tif 000010
【図９】
0003220118.tif 000011
【図１０】
0003220118.tif 000012
【図１１】
0003220118.tif 000013
【図１２】
0003220118.tif 000014
【図１３】
0003220118.tif 000015
【図１４】
0003220118.tif 000016